(57)【要約】【課題】余剰電力を利用し、部屋の温度が適切な温度になるように、効率的に空気調和機を稼働させることができる空気調和システムを実現することを目的とする。【解決手段】  空気調和システムであって、発電システムにより発電した電力量である発電電力量を取得する発電電力量取得部と、所定範囲の空気調和機を含む電子機器の消費電力量を取得する消費電力量取得部と、前記発電電力量と前記消費電力量とに基づいて、予測される余剰電力量である予測余剰電力量を予測する余剰電力量予測部と、前記予測余剰電力量を超えない範囲で、前記空気調和機を動作させる空調動作情報を決定する空調動作情報決定部と、を有する。【選択図】図３
2020041782.tif 000002
【特許請求の範囲】
【請求項１】
発電システムにより発電した電力量である発電電力量を取得する発電電力量取得部と、
所定範囲の空気調和機を含む電子機器の消費電力量を取得する消費電力量取得部と、
前記発電電力量と前記消費電力量とに基づいて、予測される余剰電力量である予測余剰電力量を予測する余剰電力量予測部と、
前記予測余剰電力量を超えない範囲で、前記空気調和機を動作させる空調動作情報を決定する空調動作情報決定部と、
を有することを特徴とする空気調和システム。
【請求項２】
室内温度を取得する室内温度情報取得部をさらに備え、
前記空調動作情報決定部は、
所定日時の前記室内温度が所定範囲となるような前記空調動作情報を決定すること
を特徴とする請求項１に記載の空気調和システム。
【請求項３】
天気を表す天気情報を取得する天気情報取得部と、
前記天気情報と過去の前記室内温度とに基づき、前記所定日時の室内温度を予測する室内温度予測部と、
を備え、
前記空調動作情報決定部は、予測された前記所定日時の前記室内温度に基づいて前記空調動作情報を決定することを特徴とする請求項２に記載の空気調和システム。
【請求項４】
前記空気調和機の運転情報を取得する運転情報取得部と、
前記運転情報に基づき、前記空気調和機の使用開始時間を予測する使用開始時間予測部と、をさらに備え、
前記空調動作情報決定部は、
前記使用開始時間の前記室内温度が所定範囲となるように前記空調動作情報を決定すること
を特徴とする請求項２または３のいずれかに記載の空気調和システム。
【請求項５】
前記空気調和機の空調消費電力量を予測する空調消費電力量予測部をさらに備え、
前記空調動作情報決定部は、
前記予測余剰電力量で前記空気調和機を動作させた後の所定期間の前記空調消費電力量が所定範囲内であれば、前記空気調和機を動作させる前記空調動作情報を決定すること
を特徴とする請求項１から４のいずれかに記載の空気調和システム。
【請求項６】
電気料金を取得する電気料金取得部をさらに備え、
前記空調動作情報決定部は、
前記予測余剰電力量を使用した場合に、所定期間の前記空気調和機の電気料金が所定範囲内であれば、前記空気調和機を動作させる前記空調動作情報を決定すること
を特徴とする請求項１から４のいずれかに記載の空気調和システム。
【発明の詳細な説明】
【技術分野】
【０００１】
本発明は、空気調和システムに関する。
【背景技術】
【０００２】
例えば、下記特許文献１には、予測される発電電力量と予測される消費電力量との差分である予測余剰電力量が発生する時間に基づき、給湯器を運転する時間を設定することが出来る技術が開示されている。
【先行技術文献】
【特許文献】
【０００３】
【特許文献１】特開２０１７−１９９１５７号公報
【発明の概要】
【発明が解決しようとする課題】
【０００４】
本発明は、例えば、予測余剰電力量を利用し、所望の時間に部屋の温度が適切な温度になるように、より効率的に空気調和機の稼働させることができる空気調和システムを実現することを目的とする。
【課題を解決するための手段】
【０００５】
（１）本発明の空気調和システムは、発電システムにより発電した電力量である発電電力量を取得する発電電力量取得部と、所定範囲の空気調和機を含む電子機器の消費電力量を取得する消費電力量取得部と、前記発電電力量と前記消費電力量とに基づいて、予測される余剰電力量である予測余剰電力量を予測する余剰電力量予測部と、前記予測余剰電力量を超えない範囲で、前記空気調和機を動作させる空調動作情報を決定する空調動作情報決定部と、を有することを特徴とする。
【０００６】
（２）本発明の空気調和システムの制御方法は、発電システムにより発電した電力量である発電電力量を取得し、所定範囲の空気調和機を含む電子機器の消費電力量を取得し、前記発電電力量と前記消費電力量とに基づいて、予測される余剰電力量である予測余剰電力量を予測し、前記予測余剰電力量を超えない範囲で、前記空気調和機を動作させる空調動作情報を決定する、ことを特徴とする。
【０００７】
（３）本発明の空気調和システムの制御プログラムは、発電システムにより発電した電力量である発電電力量を取得する発電電力量取得部、所定範囲の空気調和機を含む電子機器の消費電力量を取得する消費電力量取得部、前記発電電力量と前記消費電力量とに基づいて、予測される余剰電力量である予測余剰電力量を予測する余剰電力量予測部、前記予測余剰電力量を超えない範囲で、前記空気調和機を動作させる空調動作情報を決定する空調動作情報決定部としてコンピュータを機能させることを特徴とする。
【発明の効果】
【０００８】
本発明の一態様に係る空気調和システムは、予測余剰電力量を利用して空気調和を行うことが可能である。
【図面の簡単な説明】
【０００９】
【図１】第１の実施形態に係る空気調和システムの概略構成を示したシステム構成図である。
【図２】第１の実施形態に係る管理装置と空気調和機の機能的構成の一例を示す図である。
【図３】第１の実施形態に係るサーバ装置の機能的構成の一例を示す図である。
【図４Ａ】サーバ装置記憶部に記憶されたデータの一例を示す図である。
【図４Ｂ】サーバ装置記憶部の構成の一例を示す図である。
【図４Ｃ】サーバ装置記憶部の構成の一例を示す図である。
【図４Ｄ】サーバ装置記憶部の構成の一例を示す図である。
【図４Ｅ】サーバ装置記憶部の構成の一例を示す図である。
【図４Ｆ】サーバ装置記憶部の構成の一例を示す図である。
【図５】サーバ装置が実行する処理の流れを示すフローチャートの概要の一例である。
【図６Ａ】時系列における予測発電電力量と予測消費電力量の一例を示す図である。
【図６Ｂ】時系列における予測余剰電力量の一例を示す図である。
【図６Ｃ】時系列における空気調和機の予測消費電力量の一例を示す図である。
【図６Ｄ】時系列における予測発電電力量と予測消費電力量の一例を示す図である。
【図６Ｅ】時系列における予測室温の一例を示す図である。
【図７】第２の実施形態に係るサーバ装置の機能的構成の一例を示す図である。
【図８】ＯＦＦ時室温履歴情報記憶部の構成の一例を示す図である。
【図９】第２の実施形態における空気調和機の動作状況と室内温度の関係を示す一例の図である。
【図１０】第２の実施形態に係るサーバ装置が実行する処理の流れを示すフローチャートの概要の一例である。
【図１１】第３の実施形態に係るサーバ装置の機能的構成の一例を示す図である。
【図１２Ａ】第３の実施形態における空気調和機の動作状況と電力量との関係を示す一例の図である。
【図１２Ｂ】第３の実施形態における空気調和機の動作状況と電力量との関係を示す一例の図である。
【図１２Ｃ】第３の実施形態における空気調和機の動作状況と電力量との関係を示す一例の図である。
【図１３】第３の実施形態に係るサーバ装置が実行する処理の流れを示すフローチャートの概要の一例である。
【発明を実施するための形態】
【００１０】
（第１の実施形態）
以下、本発明の第１の実施形態について、図面を参照しつつ説明する。なお、図面については、同一又は同等の要素には同一の符号を付し、重複する説明は省略する。
【００１１】
図１は、第１の実施形態に係る空気調和システム１の概略構成を示したシステム構成図である。
【００１２】
図１に示すように、本実施形態に係る空気調和システム１は、例えば、発電システム２、蓄電池システム３、ＰＣＳ（ＰｏｗｅｒＣｏｎｄｉｔｉｏｎｉｎｇ Ｓｙｓｔｅｍ）４、分電盤５、空気調和機６ａ、ホームネットワーク９、管理装置１０、サーバ装置１２を有する。管理装置１０とサーバ装置１２とは、広域ネットワーク１１を介して、通信可能に接続されている。分電盤５は、商用電源２０、冷蔵庫７、テレビ８にも接続されている。
【００１３】
図１において、各ブロックを結ぶ破線は、電力線であり、電力の流れを表す。また、図１において、各ブロックを結ぶ実線は、制御信号または通信される情報の流れを表す。当該実線が示す通信は有線通信としてもよいし、無線通信としてもよい。
【００１４】
空気調和システム１は、ユーザが住む家の中、もしくは、会社等が入るビルディングの中（以下、まとめて「宅内」という。）に設置される。本実施の形態においては、空気調和システム１は、ユーザが住む一戸建ての家に設置されるものとして説明する。
【００１５】
空気調和システム１は、例えば、図１に示すように、複数の空気調和機６ａ、６ｂ、６ｃを有しているが、少なくとも１つの空気調和機を有していれば良い。さらに、図１に示すように、空気調和システム１は、冷蔵庫７、テレビ８と接続されているが、これに限らず他の宅内の電子機器と接続されていても良い。
【００１６】
発電システム２は、例えば、太陽光発電による発電システムである。また、太陽光発電に限らず、風力発電であってもよく、再生可能エネルギーを利用して発電するものであれば良い。なお、発電システム２は、ユーザが居住する一戸建ての家などであれば、家庭用のものを用いればよい。
【００１７】
そして、発電システム２が発電する電力は、ＰＣＳ（Ｐｏｗｅｒ Ｃｏｎｄｉｔｉｏｎｉｎｇ Ｓｙｓｔｅｍ）４により交流に変換されてから、空気調和機６ａ〜６ｃ、冷蔵庫７、テレビ８等の宅内の電子機器に供給される。また、発電システム２が発電する電力は、ＰＣＳ４により変換した交流の電力を、分電盤５を介して逆潮流させ、電力会社に売電されても良い。
【００１８】
蓄電池システム３は、蓄電池を備えており、蓄電池に充電された電力を放電し、宅内の電力線を介して、宅内の電子機器に電力を供給する。また、蓄電池システム３は、商用電源２０から供給される電力や、発電システム２により発電される電力を、蓄電池に充電させる。
【００１９】
分電盤５は、商用電源２０や、発電システム２や、蓄電池システム３から供給される電力を、空気調和機等の宅内の各電子機器に分配する。
【００２０】
管理装置１０は、発電システム２により発電される電力や、蓄電池システム３により蓄電または放電される電力に関する情報を、ＰＣＳ４から、ホームネットワーク９を介して取得し管理する。さらに、管理装置１０は、空気調和機６ａ等の宅内の電子機器の消費電力に関する情報や、宅内の電子機器のユーザ情報を、ホームネットワーク９を介して宅内の電子機器から取得し管理する。そして、管理装置１０は、取得した宅内の電力に関する情報や、宅内の電子機器に関する情報を、インターネット等を含む広域ネットワーク１１を介してサーバ装置１２に送信する。また、管理装置１０は、サーバ装置１２から広域ネットワーク１１を介して受信した空気調和機６ａの動作内容を、空気調和機６ａへ送信する。管理装置１０の構成についての詳細は後述する。
【００２１】
サーバ装置１２は、管理装置１０により取得された宅内の電力と宅内の電子機器に関する情報を、広域ネットワーク１１を介して管理装置１０から取得する。そして、取得した情報に基づき、空気調和機６ａの動作内容を示す空調動作情報を決定する。さらに、サーバ装置１２は、決定した空気調和機６ａの空調動作情報を、広域ネットワーク１１を介して管理装置１０に送信する。サーバ装置１２の構成についての詳細は後述する。
【００２２】
また、サーバ装置１２は、管理装置１０が取得する情報を、発電システムや宅内の電子機器から、広域ネットワーク１１を介して直接取得しても良い。具体的には、サーバ装置１２は、発電システム２により発電される電力量や、蓄電池システム３により蓄電または放電される電力量や、空気調和機６ａ等の宅内の電子機器の消費電力量や、宅内全体の消費電力量や、宅内の電子機器のユーザ情報等の情報を、直接、広域ネットワーク１１を介して取得しても良い。さらに、サーバ装置１２は、空気調和機６ａの空調動作情報を、管理装置１０を介さずに、広域ネットワーク１１を介して直接、空気調和機６ａに送信しても良い。
【００２３】
図２は、第１の実施形態に係る管理装置１０と空気調和機６ａの機能的構成の一例を示す図である。
【００２４】
（空気調和機６ａ）
空気調和機６ａは、図２に示すように、例えば、空気調和機制御部６００、空気調和機通信部６０１を含む。
【００２５】
空気調和機通信部６０１は、ホームネットワーク９を介して、管理装置１０へ空気調和機６ａの運転情報やユーザ情報を送信する空気調和機送信部として機能する。また、空気調和機通信部６０１は、ホームネットワーク９を介して、管理装置１０から空調動作情報を受信する空気調和機受信部として機能する。
【００２６】
また、空気調和機通信部６０１は、広域ネットワーク１１を介して、直接、サーバ装置１２と通信しても良い。この場合は、空気調和機通信部６０１は、広域ネットワーク１１を介して、サーバ装置１２へ空気調和機６ａの運転情報やユーザ情報を送信する空気調和機送信部として機能する。また、空気調和機通信部６０１は、広域ネットワーク１１を介して、サーバ装置１２から空調動作情報を受信する空気調和機受信部として機能する。
【００２７】
空気調和機制御部６００は、空気調和機６ａの各構成を統括的に制御するものである。空気調和機制御部６００の詳細については、以下に説明する。
【００２８】
（空気調和機制御部６００）
空気調和機制御部６００は、図２に示すように、設定情報取得部６０２、室内温度情報取得部６０３、室外温度情報取得部６０４、運転情報出力部６０５、ユーザ情報出力部６０６、空調動作情報取得部６０７、空調動作指示部６０８、消費電力量情報取得部６０９を含む。
【００２９】
設定情報取得部６０２は、空気調和機６ａで設定された設定情報を取得する。具体的には、設定情報取得部６０２は、ユーザにより空気調和機６ａに設定された設定情報と、ユーザにより設定内容が設定された日時情報とを関連付けて取得する。ここで、設定情報は、例えば、冷房、暖房および除湿等の運転モード情報や、弱風、強風等の風量情報や、運転を開始した運転開始時間や、運転を終了した運転終了時間や、設定温度の設定温度情報を含む。なお、設定情報は、設定湿度の設定湿度情報を含んでもよい。
【００３０】
室内温度情報取得部６０３は、空気調和機６ａの室内機に設置された温度センサにより検知された温度を室内温度情報として取得し、さらに、その温度が検知された日時を関連付けて取得する。また、室内温度情報取得部６０３は、例えば、空気調和機６がリモコンにより操作され、そのリモコンが温度センサを備えている場合は、リモコンの温度センサにより検知された温度を室内温度情報として取得し、さらに、その温度が検知された日時を関連付けて取得しても良い。また、室内温度情報取得部６０３は、例えば、室内機の温度センサにより検知された温度とリモコンの温度センサにより検知された温度との２種類の温度の平均温度を算出し、算出された平均温度を室内温度情報として取得し、さらに、それらの温度が検知された日時を関連付けて取得しても良い。
【００３１】
室外温度情報取得部６０４は、空気調和機６ａの室外機に設置された温度センサにより検知された室外機周辺の温度を宅外の室外温度情報として取得し、さらに、その温度が検知された日時情報を関連付けて取得する。
【００３２】
消費電力量情報取得部６０９は、空気調和機６ａにより消費された消費電力量情報を取得し、さらに、その消費電力量が消費された日時情報を関連付けて取得する。
【００３３】
運転情報出力部６０５は、設定情報取得部６０２により取得された設定情報と、室内温度情報取得部６０３により取得された室内温度情報と、室外温度情報取得部６０４により取得された室外温度情報と、消費電力量情報取得部６０９により取得された消費電力量情報とを含む運転情報と、運転情報に関連付けられた日時情報と、空気調和機６ａの機種名または製造番号とを、空気調和機通信部６０１を介して管理装置１０に出力する。
【００３４】
また、運転情報出力部６０５は、空気調和機６ａが運転開始したときに、その運転開始した日時と、運転開始した時の室内温度と室外温度とをそれぞれ室内温度情報取得部６０３と室外温度情報取得部６０４より取得し、さらに、運転モード等の設定情報を設定情報取得部６０２より取得し、取得した情報を、空気調和機通信部６０１を介して管理装置１０に出力する。
【００３５】
さらに、運転情報出力部６０５は、空気調和機６ａが運転終了したときに、運転開始したときと同様に、その運転終了した日時と、運転終了したときの室内温度と室外温度と運転モード等を取得し、取得した情報を、空気調和機通信部６０１を介して管理装置１０に出力する。
【００３６】
さらに、運転情報出力部６０５は、空気調和機６ａの運転モードや設定温度や風量等の設定情報が変更されたときに、その変更された日時と、設定情報が変更された時の室内温度と室外温度と運転モード等を取得し、取得した情報を、空気調和機通信部６０１を介して管理装置１０に出力しても良い。
【００３７】
これにより、空気調和機６ａは、空気調和機６ａにおける動作内容の変化が発生した時に、空気調和機６ａが設置されている部屋の環境や、空気調和機６ａの動作状況を、管理装置１０に出力することができ、管理装置１０は空気調和機６ａの時系列における環境や動作状況を管理することができる。
【００３８】
ユーザ情報出力部６０６は、空気調和機６ａの機種名、製造番号、メーカー名等の機種情報（室内機及び室外機両方）と、空気調和機６ａの設置場所に関する設置情報とを含む空気調和機６ａのユーザ情報を、空気調和機通信部６０１を介して管理装置１０に出力する。
【００３９】
ここで、機種情報と設置情報は、空気調和機６ａの記憶部（図示なし）に記憶されていて、ユーザ情報出力部６０６は、記憶部に記憶されているこれらの情報を取得して、空気調和機通信部６０１を介して管理装置１０に出力する。
【００４０】
さらに、設置情報は、例えば、建物位置情報や、部屋種類情報や、宅内位置情報や、部屋面積情報等を含む。具体的には、建物位置情報は、例えば、空気調和機６ａが設置されている建物の位置を示す国名や都市名等の地名や、座標情報等の建物の位置情報を示す情報である。また、部屋種類情報は、例えば、子供部屋、寝室、リビング、キッチン等の空気調和機６ａが設置されている部屋の種類を示す情報である。さらに、宅内位置情報は、例えば、１階、２階等の空気調和機６ａを設置している宅内の位置を示す情報である。さらに、部屋面積情報は、例えば、空気調和機６ａが設置されている部屋の面積を示す情報である。
【００４１】
空調動作情報取得部６０７は、空気調和機通信部６０１を介して、管理装置１０から空気調和機の動作内容を示す空調動作情報を受信し取得する。
【００４２】
空調動作指示部６０８は、空調動作情報取得部６０７により取得された空調動作情報に基づき、空気調和機６ａを動作させる。
【００４３】
（管理装置１０）
管理装置１０は、たとえば、ＨＥＭＳ（Ｈｏｍｅ Ｅｎｅｒｇｙ Ｍａｎａｇｅｍｅｎｔ Ｓｙｓｔｅｍ）機器であり、発電システム２と、蓄電池システム３と、空気調和機６ａや他の空気調和機６ａ、６ｂや冷蔵庫７やテレビ８等を含む宅内の電子機器と、ホームネットワーク９を介して有線通信または無線通信を行い、発電システム２、蓄電池システム３および空気調和機６ａ等の宅内の電子機器を管理する。
【００４４】
管理装置１０は、機能的に、図２に示すように、例えば、管理装置制御部１００、第１の管理装置通信部１０１、第２の管理装置通信部１０６を含む。
【００４５】
第１の管理装置通信部１０１は、図２に示すように、ホームネットワーク９を介して、ＰＣＳ４から、発電システム２により発電された発電電力量と、蓄電池システム３により蓄電池に蓄電された蓄電電力量を受信する第１の管理装置受信部として機能する。さらに、第１の管理装置通信部１０１は、ホームネットワーク９を介して、空気調和機６ａから運転情報やユーザ情報や消費電力量や日時情報や機種名等を受信する第１の管理装置受信部として機能する。また、第１の管理装置通信部１０１は、ホームネットワーク９に接続されている他の空気調和機６ｂ、６ｃや冷蔵庫７やテレビ８等の宅内の電子機器についても同様に、消費電力量や運転情報やユーザ情報や消費電力量や日時情報や機種名等を宅内の電子機器から受信する第１の管理装置受信部として機能する。ここで、第１の管理装置通信部１０１は、例えば、ホームネットワーク９に接続されているスマートメーター（図示なし）のような計測装置により計測された電力量等を受信する第１の管理装置受信部として機能しても良い。ここで、スマートメーターは、例えば、発電システム２により発電された発電電力量や、蓄電池システム３により蓄電池に蓄電された蓄電電力量や、空気調和機６ａを含む宅内の各電子機器の消費電力量や、宅内全体の消費電力量を計測する。そして、スマートメーターは、各電子機器の機種名を各電子機器から取得し、取得した機種名と計測した電力量とを、第１の管理装置通信部１０１を介して、管理装置１０に送信する。
【００４６】
また、第１の管理装置通信部１０１は、サーバ装置１２から受信した空調動作情報を、ホームネットワーク９を介して、空気調和機６ａに送信する第１の管理装置送信部として機能する。
【００４７】
管理装置制御部１００は、管理装置１０の各構成を統括的に制御するものである。管理装置制御部１００の詳細については、以下に説明する。
【００４８】
（管理装置制御部１００）
管理装置制御部１００は、図２に示すように、発電量履歴情報取得部１０２、運転情報取得部１０３、ユーザ情報取得部１０４、消費電力量履歴情報取得部１０５、空調動作情報管理取得部１０７、空調動作情報管理出力部１０８、宅内情報出力部１０９を含む。
【００４９】
発電量履歴情報取得部１０２は、第１の管理装置通信部１０１が受信した発電システム２により発電された発電電力量と発電された日時とを関連付け、発電量履歴情報として取得する。また、発電量履歴情報取得部１０２は、蓄電池システム３により蓄電池に蓄電された蓄電電力量と蓄電された日時とを関連付け、蓄電量履歴情報として取得する。ここで、発電量履歴情報取得部１０２は、例えば、ホームネットワーク９に接続されているスマートメーター（図示なし）のような計測装置により計測された発電電力量と発電された日時とが関連付けられた発電量履歴情報を、第１の管理装置通信部１０１を介して、スマートメーターから取得しても良い。また、発電量履歴情報取得部１０２は、蓄電電力量についても同様に、計測装置により計測された蓄電電力量と蓄電された日時とが関連付けられた蓄電量履歴情報を、第１の管理装置通信部１０１を介して、スマートメーターから取得しても良い。
【００５０】
運転情報取得部１０３は、第１の管理装置通信部１０１が受信した空気調和機６ａの運転情報と、運転情報に関連付けられた日時情報と、空気調和機６ａの機種名または製造番号とを取得する。また、空気調和機６ａの運転情報だけでなく、同様に、ホームネットワーク９に接続している他の空気調和機６ｂ、６ｃや冷蔵庫７やテレビ８等の宅内の各電子機器の運転情報と、運転情報に関連付けられた日時情報と、機種名または製造番号とを取得しても良い。
【００５１】
ユーザ情報取得部１０４は、第１の管理装置通信部１０１が受信した空気調和機６ａのユーザ情報を取得する。また、空気調和機６ａだけでなく、ホームネットワーク９に接続している他の空気調和機６ｂ、６ｃや冷蔵庫７やテレビ８等の宅内の電子機器のユーザ情報を取得しても良い。また、ユーザ情報取得部１０４は、管理装置１０の記憶部（図示なし）に記憶されている地域名をユーザ情報として取得する。ここで、ユーザ情報取得部１０４は、空気調和機６ａに設定されている地域名をユーザ情報として第１の管理装置通信部１０１を介して空気調和機６ａから取得しても構わない。
【００５２】
消費電力量履歴情報取得部１０５は、第１の管理装置通信部１０１が受信した空気調和機６ａの消費電力量と、空気調和機６ａの機種名または製造番号と、消費電力量が消費された日時とを関連付け、消費電力量履歴情報として取得する。また、消費電力量履歴情報取得部１０５は、他の宅内の電子機器についても同様に、消費電力量と、宅内の電子機器の機種名または製造番号と、消費電力量が消費された日時とを関連付け、消費電力量履歴情報として取得する。さらに、消費電力量履歴情報取得部１０５は、宅内全体で消費された宅内消費電力量と、宅内消費電力量が消費された日時とを関連付け、宅内消費電力量履歴情報として取得する。
【００５３】
宅内情報出力部１０９は、発電量履歴情報取得部１０２により取得された発電量履歴情報と蓄電量履歴情報と、運転情報取得部１０３により取得された空気調和機６ａを含む宅内の電子機器の運転情報と、ユーザ情報取得部１０４により取得された空気調和機６ａを含む宅内の電子機器のユーザ情報と、消費電力量履歴情報取得部１０５により取得された空気調和機６ａを含む宅内の電子機器の消費電力量履歴情報と、宅内全体で消費された宅内消費電力量履歴情報とを、第２の管理装置通信部１０６を介して、サーバ装置１２に出力する。
【００５４】
第２の管理装置通信部１０６は、宅内情報出力部により出力された各種情報を、広域ネットワーク１１を介して、サーバ装置１２に送信する第２の管理装置送信部として機能する。また、第２の管理装置通信部１０６は、広域ネットワーク１１を介して、サーバ装置１２から空調動作情報を受信する第２の管理装置受信部として機能する。
【００５５】
空調動作情報管理取得部１０７は、第２の管理装置通信部１０６によりサーバ装置１２から受信した空調動作情報を取得する。
【００５６】
空調動作情報管理出力部１０８は、空調動作情報管理取得部１０７により取得された空調動作情報を、第１の管理装置通信部１０１を介して、空気調和機６ａに出力する。
【００５７】
図３は、第１の実施形態に係るサーバ装置１２の機能的構成の一例を示す図である。図４Ａ〜図４Ｆは、第１の実施形態に係るサーバ装置記憶部１２０１の各記憶部の構成の一例を示す図である。
【００５８】
（サーバ装置１２）
サーバ装置１２は、機能的に、図３に示すように、例えば、サーバ装置通信部１２００、サーバ装置記憶部１２０１、サーバ装置制御部１２３０を含む。
【００５９】
サーバ装置記憶部１２０１は、サーバ装置１２が取得した各種情報が記憶される各種の記憶部を備える。サーバ装置記憶部１２０１は、具体的には、図３に示すように、発電量履歴情報記憶部１２０２、消費電力量履歴情報記憶部１２０３、天気情報記憶部１２０４、運転情報記憶部１２０５、ユーザ情報記憶部１２０６、機種別消費電力量情報記憶部１２０９を含む。
【００６０】
サーバ装置通信部１２００は、宅内の発電量履歴情報と蓄電量履歴情報と、空気調和機６ａを含む宅内の電子機器の運転情報と、空気調和機６ａを含む宅内の電子機器のユーザ情報と、空気調和機６ａを含む宅内の電子機器の消費電力量履歴情報と、宅内全体で消費された宅内消費電力量履歴情報とを、広域ネットワーク１１を介して管理装置１０から受信するサーバ装置受信部として機能する。
【００６１】
また、サーバ装置通信部１２００は、天気情報と、天気情報に対応する日時情報と地域名とを、広域ネットワーク１１を介して外部の所定のサーバ（図示なし）から受信するサーバ装置受信部として機能する。
【００６２】
また、サーバ装置通信部１２００は、空気調和機６ａの空調動作情報を、広域ネットワーク１１を介して管理装置１０へ送信するサーバ装置送信部として機能する。
【００６３】
サーバ装置制御部１２３０は、サーバ装置１２の各構成を統括的に制御するものである。サーバ装置制御部１２３０の詳細については、以下に説明する。
【００６４】
（サーバ装置制御部１２３０）
サーバ装置制御部１２３０は、情報取得部１２０８、発電電力量予測部１２１０、消費電力量予測部１２１１、余剰電力量予測部１２１３、空調動作情報決定部１２２０、空調動作情報出力部１２２１を含む。
【００６５】
情報取得部１２０８は、サーバ装置通信部１２００により受信された宅内の発電量に関する情報や、空気調和機６ａを含む宅内の電子機器の運転情報や消費電力量に関する情報や、天気に関する情報等の各種情報を取得し、各種情報をサーバ装置記憶部１２０１に記憶する。また、情報取得部１２０８は、余剰電力量を予測する日時情報の予測日時情報を発電電力量予測部１２１０と、消費電力量予測部１２１１に入力する。
【００６６】
情報取得部１２０８は、具体的には、サーバ装置通信部１２００を介して管理装置１０から受信した宅内の発電量履歴情報と蓄電量履歴情報とを取得し、発電量履歴情報記憶部１２０２に記憶する。ここで、発電履歴情報は、発電電力量と発電された日時情報とが関連付けられた情報で、蓄電量履歴情報は、蓄電された蓄電電力量と蓄電された日時情報とが関連付けられた情報である。発電量履歴情報記憶部１２０２には、具体的には、例えば、図４Ａに示すように、少なくとも日時情報と発電電力量が対応付けて記憶されている。
【００６７】
ここで、情報取得部１２０８は、発電システムにより発電した電力量である発電電力量を取得する発電電力量取得部として機能する。
【００６８】
また、情報取得部１２０８は、具体的には、サーバ装置通信部１２００を介して管理装置１０から受信した宅内全体の宅内消費電力量と、消費電力量が消費された日時とを関連付けて取得し、消費電力量履歴情報記憶部１２０３に記憶する。消費電力量履歴情報記憶部１２０３には、具体的には、例えば、図４Ｂに示すように、日時情報と宅内消費電力量が対応付けて記憶されている。
【００６９】
ここで、情報取得部１２０８は、所定範囲の空気調和機を含む電子機器の消費電力量を取得する消費電力量取得部として機能する。ここで、所定範囲の空気調和機を含む電子機器は、例えば、図１に示すように宅内で空気調和システム１に接続されている空気調和機等の電子機器を示す。
【００７０】
また、情報取得部１２０８は、サーバ装置通信部１２００を介して管理装置１０から、ユーザ情報を取得し、ユーザ情報記憶部１２０６に記憶する。情報取得部１２０８は、ユーザ情報に含まれる、空気調和機６ａの機種名または製造番号と、空気調和機６ａが設置されている地域名と、空気調和機６ａの設置情報とを関連付けて、ユーザ情報記憶部１２０６に記憶する。また、情報取得部１２０８は、他の空気調和機６ｂ、６ｃや冷蔵庫７やテレビ８等の宅内の電子機器についても同様に、宅内の電子機器の機種名または製造番号と、宅内の電子機器が設置されている地域名と、宅内の電子機器の設置情報とを関連付けて、ユーザ情報記憶部１２０６に記憶する。ユーザ情報記憶部１２０６には、具体的には、例えば、図４Ｅに示すように、機種名と地域名と設置情報が対応付けて記憶されている。
【００７１】
また、情報取得部１２０８は、サーバ装置通信部１２００を介して管理装置１０から取得したユーザ情報に含まれる地域名に基づき、サーバ装置通信部１２００を介して外部の所定のサーバ（図示なし）から、その地域名の地域の天気情報と、天気情報に対応する日時情報とを取得する天気情報取得部として機能する。さらに、情報取得部１２０８は、取得した天気情報と日時情報と地域名とを関連付けて、天気情報記憶部１２０４に記憶する。
【００７２】
ここで、天気情報は、現在および過去の天気情報と、当日または翌日の１時間毎の天気予報の天気情報や、一週間以上の日毎の長期の天気予報の天気情報を含む。また、天気情報は、例えば、晴れや曇りや雨等の天気、気温、湿度、風向、風量、紫外線量（日射量）等の天気に関する情報を含む。天気情報記憶部１２０４には、具体的には、例えば、図４Ｃに示すように、日時情報と地域名と天気情報が対応付けて記憶されている。
【００７３】
また、天気予報の天気情報は、天気情報記憶部１２０４に記憶されているものとして説明するが、天気予報の天気情報が必要となった時点で、その都度、情報取得部１２０８が、サーバ装置通信部１２００を介して外部の所定のサーバ（図示なし）から取得するようにしても良い。
【００７４】
また、情報取得部１２０８は、サーバ装置通信部１２００を介して管理装置１０から、空気調和機６ａの運転情報と、運転情報に関連付けられた日時情報と、空気調和機６ａの機種名または製造番号とを取得し、それらを関連付けて、運転情報記憶部１２０５に記憶する。また、他の空気調和機６ｂ、６ｃや冷蔵庫７やテレビ８等の宅内の電子機器についても同様に、宅内の電子機器の運転情報と、運転情報に関連付けられた日時情報と、各電子機器の機種名または製造番号とを取得し、それらを関連付けて、運転情報記憶部１２０５に記憶する。運転情報記憶部１２０５には、具体的には、例えば、図４Ｄに示すように、日時情報と機種名と運転情報が対応付けて記憶されている。また、情報取得部１２０８は、運転情報を取得した時点で、運転情報に含まれる日時情報の天気情報を取得し、天気情報記憶部１２０４に記憶させる。これにより、運転情報記憶部１２０５の日時情報に対応する天気情報は天気情報記憶部１２０４に含まれる。しかし、これに限らず、運転情報記憶部１２０５の日時情報に対応する天気情報は、必要となった時点で、その都度、外部の所定のサーバから取得しても構わない。
【００７５】
また、情報取得部１２０８は、管理装置１０から取得したユーザ情報に含まれる空気調和機６ａの機種名の機種がスペックとして消費するスペック消費電力量を、サーバ装置通信部１２００を介して広域ネットワーク１１から取得し、スペック消費電力量と機種名とを関連付けて機種別消費電力量情報記憶部１２０９に記憶する。ここで、スペック消費電力量は、最大の消費電力量や、平均の消費電力量や、冷房と暖房の各運転モードにおける最大の消費電力量のいずれであっても構わない。機種別消費電力量情報記憶部１２０９には、具体的には、例えば、図４Ｆに示すように、機種名と動作モードとスペック消費電力量が対応付けて記憶されている。また、機種別消費電力量情報記憶部１２０９は、ある電力量以下で空気調和機６ａを動作させるときに、空気調和機６ａが消費することが可能な電力量である消費可能電力量を、各電力量に対応して記憶していても良い。
【００７６】
また、情報取得部１２０８は、余剰電力量を予測する予測日時情報を取得する。この予測日時情報は、例えば、毎日の同じ時間や、１時間毎の時間であり、ユーザにより設定されたものであっても、サーバ装置１２にあらかじめ設定されたものであっても構わない。さらに、情報取得部１２０８は、例えば、運転情報記憶部１２０５に記憶されている空気調和機６ａが動作している回数が多い日時情報を予測日時情報として取得しても構わない。
【００７７】
発電電力量予測部１２１０は、情報取得部１２０８が取得した予測日時情報の予測日時の天気予報と、予測日時が示す時季（夏、冬等）の条件に該当する宅内の予測発電電力量を、宅内の発電電力量の履歴情報から予測する。
【００７８】
発電電力量予測部１２１０は、具体的には、ユーザ情報記憶部１２０６に記憶されている地域名を取得し、その地域名における予測日時の天気情報を、天気情報記憶部１２０４から取得する。それから、発電電力量予測部１２１０は、予測日時に近く、かつ、予測日時の天気予報に類似する過去の天気情報の日時情報を天気情報記憶部１２０４から取得する。そして、発電電力量予測部１２１０は、取得した日時情報の月日時間に最も近い日時情報を有する発電量履歴情報記憶部１２０２に記憶された発電電力量を予測発電電力量として、発電量履歴情報記憶部１２０２から取得する。
【００７９】
発電電力量予測部１２１０による、予測発電電力量の予測は、図４Ａ、図４Ｃを参照して、具体的に以下に説明する。
【００８０】
現在の日時が２０１８／７／１９の２２時３０分で、翌日の２０１８／７／２０の１０時００分を予測日時として、予測日時の発電電力量を予測する場合について、以下に説明する。予測日時が２０１８／７／２０の１０時００分で、予測日時における取得した天気予報が曇り、気温が３０℃だった場合は、予測日時に近く、天気予報と気温が類似する過去の天気情報を天気情報記憶部１２０４（図４Ｃ）の日時情報を取得する。具体的には、天気が曇りで、気温が３０℃に近い日時は、天気情報記憶部１２０４には、２０１８／７／１５の９時〜１０時と、２０１８／６／２０の１０時〜１１時とがあるが、予測日時の２０１８／７／２０に近い２０１８／７／１５の９時〜１０時を取得する。さらに、取得した２０１８／７／１５の９時〜１０時に最も近い日時情報の過去の発電電力量を、発電量履歴情報記憶部１２０２（図４Ａ）から取得する。具体的には、２０１８／７／１５の８時〜９時の発電電力量２．０ｋＷｈを予測発電電力量として取得する。
【００８１】
これにより、発電電力量予測部１２１０は、予測日時と同時期であって、予測日時の天気予報に類似する天気情報における過去の発電電力量を、予測発電電力量として取得することができる。
【００８２】
また、発電電力量予測部１２１０は、後述する余剰電力量予測部１２１３から、予測日時情報と、予測する期間の指示を受けて、予測日時から一定期間の発電電力量を予測しても構わない。
【００８３】
消費電力量予測部１２１１は、情報取得部１２０８が取得した予測日時情報の予測日時の宅内の予測消費電力量を、宅内の消費電力量の履歴情報から予測する。
【００８４】
消費電力量予測部１２１１は、具体的には、図３に示すように、消費電力量履歴情報記憶部１２０３に記憶された日時情報と消費電力量に基づき、予測日時情報の日時に類似する日時情報の消費電力量を消費電力量履歴情報記憶部１２０３から、予測消費電力量として取得する。ここで、消費電力量予測部１２１１は、例えば、消費電力量を予測する予測日時情報と同じ曜日で同じ時間の消費電力量履歴情報記憶部１２０３に記憶されている消費電力量を、予測消費電力量として取得する。これにより、例えば、平日と日曜日とで、ユーザが宅内に滞在している時間帯や、滞在しているユーザの人数が異なるような場合に、予測日時の曜日と時間と同じ曜日と時間の過去の消費電力量を、予測日時の予測消費電力量として取得すれば、そのユーザの生活リズムに応じた、より精度の高い予測消費電力量を取得することができる。
【００８５】
消費電力量予測部１２１１による、予測消費電力量の予測は、図４Ｂを参照して、具体的に以下に説明する。
【００８６】
予測日時が２０１８／７／２２（日）の８時３０分だった場合は、予測日時と同じ曜日の日曜日で、同じ時間帯の消費電力量履歴情報記憶部１２０３に記憶されている消費電力量を取得する。具体的には、図４Ｂに示すように、２０１８／７／１５（日）８時〜９時の消費電力量である１０．０ｋＷｈを予測消費電力量として取得する。
【００８７】
また、消費電力量予測部１２１１は、例えば、情報取得部１２０８が取得した予測日時情報の予測日時の天気予報と、予測日時が示す時季（夏、冬等）の条件に該当する宅内の消費電力量を、宅内の消費電力量の履歴情報から予測しても構わない。この場合は、消費電力量予測部１２１１は、発電電力量予測部１２１０と同様に、予測日時に近く、かつ、天気予報に類似する過去の天気情報の日時情報を天気情報記憶部１２０４から取得する。そして、消費電力量予測部１２１１は、取得した日時情報の月日時間に最も近い日時情報を有する消費電力量履歴情報記憶部１２０３に記憶された消費電力量を予測消費電力量として、消費電力量履歴情報記憶部１２０３から取得する。
【００８８】
また、消費電力量予測部１２１１は、後述する余剰電力量予測部１２１３から、予測日時情報と、予測する期間の指示を受けて、予測日時から一定期間の消費電力量を予測しても構わない。
【００８９】
余剰電力量予測部１２１３は、情報取得部１２０８が取得した予測日時情報の予測日時の宅内の予測余剰電力量を、予測日時の宅内の予測発電電力量と、予測日時の宅内の予測消費電力量の差分から予測する。
【００９０】
余剰電力量予測部１２１３は、具体的には、例えば、図３に示すように、発電電力量予測部１２１０により予測された予測発電電力量を取得し、消費電力量予測部１２１１により予測された予測消費電力量を取得し、予測発電電力量から予測消費電力量を減算した１時間ごとの電力量を、予測余剰電力量として取得する。
【００９１】
空調動作情報決定部１２２０は、余剰電力量予測部１２１３により予測された予測余剰電力量と、機種別消費電力量情報記憶部１２０９に記憶された空気調和機６ａの機種名に対応するスペック消費電力量とに基づき、予測余剰電力量を超えない範囲で、空気調和機６ａがスペック消費電力量で動作可能な動作開始予定時間と動作終了予定時間を判断し、それらの時間を空調動作情報として決定する。これにより、余剰電力量の範囲内で、適切に空気調和機６ａを動作させることができる。
【００９２】
空調動作情報決定部１２２０は、具体的には、例えば、１時間毎の予測余剰電力量と、空気調和機６ａのスペック消費電力量とを比較し、予測余剰電力量の方がスペック消費電力量より多ければ、その１時間は空気調和機６ａを動作させる時間として設定する。そして、空調動作情報決定部１２２０は、この処理を、予測余剰電力量が発生している全ての期間で行い、いずれの時間で空気調和機６ａを動作させるかを判断する。そして、空調動作情報決定部１２２０は、空気調和機６ａを継続して動作させる期間の動作開始予定時間と動作終了予定時間を設定する。動作開始予定時間と動作終了予定時間とは、１組ごとで設定され、複数組設定されても構わない。
【００９３】
空調動作情報出力部１２２１は、空調動作情報決定部１２２０により決定された空調動作情報を、サーバ装置通信部１２００を介して、管理装置１０に出力する。
【００９４】
（処理フロー）
図５は、第１の実施形態に係るサーバ装置１２が実行する処理の流れを示すフローチャートの概要の一例である。図６Ａ〜図６Ｅは、第１の実施形態に係る電力量や室温の変化の一例を示す図である。図５に示す処理の流れを、図６Ａ〜図６Ｅに示す画面を参照しながら説明する。
【００９５】
情報取得部１２０８は、サーバ装置通信部１２００により受信された宅内の発電量に関する情報や、空気調和機６ａを含む宅内の電子機器の運転情報や消費電力量に関する情報や、天気に関する情報や、余剰電力量を予測する日時情報の予測日時情報等の各種情報を取得する（Ｓ１０１）。
【００９６】
情報取得部１２０８は、管理装置１０から取得した各種情報をそれぞれ、サーバ装置記憶部１２０１の各記憶部に記憶する（Ｓ１０２）。ここで、情報取得部１２０８は、空気調和機６ａから直接各種情報を取得しても構わない。
【００９７】
発電電力量予測部１２１０は、ユーザ情報記憶部１２０６に記憶されている地域名と、情報取得部１２０８により取得された予測日時情報とに基づき、その地域名における予測日時情報の予測日時の天気情報を、天気情報記憶部１２０４から取得する。さらに、発電電力量予測部１２１０は、予測日時情報と、予測日時の天気予報の天気情報とに基づき、予測日時に近く、かつ、天気予報に類似する過去の天気情報を有する日時情報を天気情報記憶部１２０４から取得する。そして、発電電力量予測部１２１０は、取得した日時情報の月日時間に最も近い日時情報を有する発電量履歴情報記憶部１２０２に記憶された発電電力量を予測発電電力量として、発電量履歴情報記憶部１２０２から取得する（Ｓ１０３）。発電電力量予測部１２１０は、例えば、１時間毎に予測発電電力量を予測し、１日の予測発電電力量をグラフで示すと、図６Ａで示す予測発電電力量のグラフのようになる。
【００９８】
消費電力量予測部１２１１は、消費電力量履歴情報記憶部１２０３に記憶された日時情報と消費電力量に基づき、予測日時情報に類似する日時情報の消費電力量を消費電力量履歴情報記憶部１２０３から、予測消費電力量として取得する（Ｓ１０４）。消費電力量予測部１２１１は、例えば、１時間毎に予測消費電力量を予測し、１日の予測消費電力量をグラフで示すと、図６Ａで示す予測消費電力量のグラフのようになる。
【００９９】
余剰電力量予測部１２１３は、発電電力量予測部１２１０により予測された予測発電電力量を取得し、消費電力量予測部１２１１により予測された予測消費電力量を取得し、予測発電電力量から予測消費電力量を減算した電力量を、予測余剰電力量として取得する（Ｓ１０５）。余剰電力量予測部１２１３は、１時間毎に予測余剰電力量を予測し、１日の予測余剰電力量をグラフで示すと、図６Ｂで示すグラフのようになる。
【０１００】
空調動作情報決定部１２２０は、余剰電力量予測部１２１３により予測された予測余剰電力量と、機種別消費電力量情報記憶部１２０９に記憶された空気調和機６ａの機種名に対応するスペック消費電力量とに基づき、予測余剰電力量を超えない範囲で、空気調和機６ａがスペック消費電力量で動作可能な動作開始予定時間と動作終了予定時間を算出し、それらの時間を空調動作情報として決定する（Ｓ１０６）。また、空調動作情報決定部１２２０は、例えば、予測余剰電力量の範囲内で空気調和機６ａを動作させるときに、図６Ｂの各時間の予測余剰電力量に対して、空気調和機６ａが消費可能な電力量を機種別消費電力量情報記憶部１２０９から取得して、予測余剰電力量の範囲内で動作可能かどうかを判断しても良い。空調動作情報決定部１２２０が、予測余剰電力量に応じた機種別消費電力量情報記憶部１２０９から取得した消費可能な電力量をグラフで示すと、図６Ｃで示すグラフのようになる。
【０１０１】
空調動作情報出力部１２２１は、空調動作情報決定部１２２０により決定された空調動作情報を、サーバ装置通信部１２００を介して、管理装置１０に出力する（Ｓ１０７）。
【０１０２】
サーバ装置通信部１２００は、空気調和機６ａの動作内容を示す空調動作情報を、広域ネットワーク１１を介して管理装置１０へ送信する（Ｓ１０８）。
【０１０３】
これにより、サーバ装置１２は、予測余剰電力量の範囲内で空気調和機６ａを動作させる空調動作情報を決定することができる。また、管理装置１０は、サーバ装置１２から受信した空調動作情報を空気調和機６ａに送信することにより、空気調和機６ａは、受信した空調動作情報に基づき、予測余剰電力量の範囲内で動作することができる。具体的には、図６Ｄで示すように、予測余剰電力量を超えない範囲で空気調和機６ａに運転させる空調動作情報を送信しているので、空気調和機６ａが動作中には、空気調和機６ａの予測消費電力量と空気調和機６ａ以外の予測消費電力量とを足しても予測発電電力量は超えていないことを示している。そして、予測余剰電力量の範囲内で空気調和機６ａを動作させることにより、図６Ｅの実線で示すように、夏場であれば冷房運転を行い、室内温度を下げることができる。これにより、予測余剰電力量での空気調和機６ａの動作が終了した後に、再度、空気調和機６ａを動作させた場合に、室内温度が一定温度下がっているので、消費電力量を抑制することができる。
【０１０４】
なお、本発明は、上述した実施の形態及び変形例に限定されるものではなく変形可能であり、上記の構成は、実質的に同一の構成、同一の作用効果を奏する構成又は同一の目的を達成することができる構成で置き換えることができる。
【０１０５】
（第２の実施形態）
以下、本発明の第２の実施形態について、図面を参照しつつ説明する。なお、下記において上記第１の実施形態と同様である点については説明を省略する。
【０１０６】
図７は、第２の実施形態に係るサーバ装置１２の機能的構成の一例を示す図である。
【０１０７】
サーバ装置１２は、機能的に、図７に示すように、第１の実施形態における図３と同様に、例えば、サーバ装置通信部１２００、サーバ装置記憶部１２０１、サーバ装置制御部１２３０を含む。
【０１０８】
サーバ装置記憶部１２０１は、図７に示すように、第１の実施形態における各記憶部に加えて、ＯＦＦ時室温履歴情報記憶部１２１５を含む。図８は、ＯＦＦ時室温履歴情報記憶部１２１５の構成の一例を示す図である。
【０１０９】
ＯＦＦ時室温履歴情報記憶部１２１５には、例えば、情報取得部１２０８により管理装置１０から取得された運転情報に基づき、空気調和機６ａがＯＦＦされている状態における空気調和機６ａが設置されている部屋の室内温度と室外温度と、空気調和機６ａの機種名と、空気調和機６ａのＯＦＦした時間とＯＮした時間とが記憶されている。この場合、複数の空気調和機に対し、機種名も記憶するので、それぞれの空気調和機を区別して記憶することができる。
【０１１０】
空気調和機６ａにおける温度情報の取得については、以下に説明する。具体的には、空気調和機６ａがＯＦＦされたときに、空気調和機６ａの室内温度情報取得部６０３は、ＯＦＦ時に検知した室内温度情報を取得し、室外温度情報取得部６０４は、ＯＦＦ時に検知した室外温度情報を取得する。そして、空気調和機６ａの運転情報出力部６０５は、空気調和機６ａがＯＦＦされたときに、ＯＦＦした時間と、ＯＦＦ時に検知した室内温度情報と室外温度情報と、設定情報とを、運転情報として、空気調和機通信部６０１を介して管理装置１０に出力する。また、空気調和機６ａがＯＮされたときも、ＯＦＦされたときと同様に、ＯＮした時間と、ＯＮ時に検知した室内温度情報と室外温度情報と、設定情報とを、運転情報として、空気調和機通信部６０１を介して管理装置１０に出力する。
【０１１１】
管理装置１０の運転情報取得部１０３は、空気調和機６ａから、ＯＦＦした時間とＯＦＦ時に検知した室内温度情報と室外温度情報と、ＯＮした時間とＯＮ時に検知した室内温度情報と室外温度情報とを運転情報として取得し、宅内情報出力部１０９がサーバ装置１２に運転情報を出力する。そして、サーバ装置１２の情報取得部１２０８は、管理装置１０から取得した運転情報を、ＯＦＦ時室温履歴情報記憶部１２１５に記憶する。
【０１１２】
また、空気調和機６ａの室内温度情報取得部６０３と室外温度情報取得部６０４は、ＯＦＦしたタイミングとＯＮしたタイミングで、室内温度情報と室外温度情報とを検知するだけでなく、例えば、ＯＦＦ中であっても、一時間毎等の所定時間間隔で室内温度情報と室外温度情報と検知し、検知した時間とともに、検知した温度情報を運転情報として、管理装置１０に出力しても良い。そして、サーバ装置の情報取得部１２０８は、管理装置１０から、その運転情報を取得し、ＯＦＦ時室温履歴情報記憶部１２１５に記憶する。ここで、室外温度情報取得部６０４は、室外機がＯＦＦ中に、室外温度情報を検知するときは、一旦室外機に通電し、室外温度情報を取得し、取得して所定時間経過後、または、取得後すぐに、室外機への通電をＯＦＦとすればよい。
【０１１３】
これにより、サーバ装置１２の情報取得部１２０８は、空気調和機６ａが設置されている部屋の室内温度情報と室外温度情報とをより多く、ＯＦＦ時室温履歴情報記憶部１２１５に記憶させることができるので、室内温度の変化と室外温度との関係をより細かく把握することができる。
【０１１４】
また、空気調和機６ａの室外機がＯＦＦ中は温度センサが動作せず、室外温度情報を取得できない場合は、サーバ装置１２の情報取得部１２０８が、ユーザ情報記憶部１２０６に記憶されている地域名を取得し、その地域名における天気情報に含まれる温度情報を所定時間間隔で、天気情報記憶部１２０４から取得しても良い。また、サーバ装置１２の情報取得部１２０８が、サーバ装置通信部１２００を介して外部の所定のサーバ（図示なし）から、その地域名の天気情報を一時間毎等の所定時間間隔で取得しても良い。そして、情報取得部１２０８が、取得した温度情報と、取得した時間情報と共に、ＯＦＦ時室温履歴情報記憶部１２１５に記憶すれば良い。
【０１１５】
また、空気調和機６ａが取得した温度情報は、管理装置１０を介してサーバ装置１２に送信されるが、これに限らず、空気調和機６ａの空気調和機通信部６０１が広域ネットワーク１１と通信可能に接続し、空気調和機６ａから広域ネットワーク１１を介して直接、サーバ装置１２に送信しても構わない。
【０１１６】
サーバ装置制御部１２３０は、図７に示すように、第１の実施形態における各機能部に加えて、ＯＮ時間予測部（使用開始時間予測部）１２１７と室内温度予測部１２１８を含む。
【０１１７】
ＯＮ時間予測部１２１７は、運転情報記憶部１２０５に記憶されている空気調和機６ａの運転情報に基づき、空気調和機６ａが運転開始される回数が多い時間を、空気調和機６ａのＯＮ予測時間として取得する。すなわち、予測されたＯＮ予測時間は、空気調和機６ａがユーザにより操作され、使用開始されると予測される時間である。
【０１１８】
ＯＮ時間予測部１２１７は、具体的には、運転情報記憶部１２０５に記憶されている運転情報に含まれる空気調和機６ａをＯＮした日時情報の曜日と時間を取得し、いずれの曜日のいずれの時間にＯＮしている回数が多いかをカウントする。ここで、ＯＮ時間予測部１２１７は、例えば、ＯＮした時間が、１５分や３０分異なっていても、同じ時間帯にＯＮしたものとして回数をカウントしても良い。これにより、ＯＮ時間予測部１２１７は、いずれの時間帯にＯＮしている回数が多いかを把握することができ、その時間帯の中で一番早くＯＮした時間を、ＯＮ予測時間として予測する。また、ＯＮしている回数が多い時間帯における中間の時間をＯＮ予測時間と予測しても構わない。
【０１１９】
室内温度予測部１２１８は、空調動作情報決定部１２２０により指示された予測日時と、予測日時の天気予報と、空気調和機６ａの運転情報と、空気調和機６ａがＯＦＦ時の室内温度情報の履歴とに基づき、空気調和機６ａが動作している時の室内温度と、空気調和機６ａがＯＦＦしている時の室内温度を予測する。
【０１２０】
空気調和機６ａが動作しているときの予測室内温度については、室内温度予測部１２１８は、具体的には、運転情報記憶部１２０５に記憶されている空気調和機６ａの過去の運転情報と、予測日時の天気予報とに基づき、予測室内温度を予測する。さらに具体的には、室内温度予測部１２１８は、運転情報記憶部１２０５の運転情報に含まれる運転開始時の室内温度と室外温度、運転終了時の室内温度と室外温度、運転した日時情報等を取得する。そして、室内温度予測部１２１８は、予測日時に近く、かつ、予測日時の天気予報に類似する過去の天気情報に対応する日時情報を、天気情報記憶部１２０４から取得する。さらに、室内温度予測部１２１８は、取得した過去の天気情報の日時に対応する運転情報記憶部１２０５の運転情報に基づき、室内温度を予測する。
【０１２１】
具体的には、例えば、２０１８／６／２２の９時から１１時まで空気調和機６ａを設定温度２５℃で動作させた後の２０１８／６／２２の１１時を予測日時とし、その予測日時の室内温度を予測する場合について説明する。室内温度予測部１２１８は、２０１８／６／２２の９時から予測日時の１１時までの天気予報が曇り、気温が２６℃だった場合、天気情報記憶部１２０４から、過去の天気情報の中で、予測日時に近く、予測日時に至るまでの天気予報に類似する天気情報を検索する。そして、室内温度予測部１２１８は、天気が曇り、気温が２５℃〜２７℃で、予測日時に近い２０１８／６／２０の９時から１１時を取得する。そして、室内温度予測部１２１８は、取得した日時情報の２０１８／６／２０の９時から１１時に対応する運転情報記憶部１２０５の運転情報から室内温度の変化の割合を算出し、運転開始時の室内温度に、算出した室内温度の変化の割合を加算した温度を、予測室内温度として取得する。ここでは、２０１８／６／２０の９時から１１時の運転情報は、開始時室内温度が２６℃、終了時室内温度が２５℃なので、室内温度は１℃下がっているので、運転開始時の室内温度が２７℃だった場合、２７℃から少なくとも１℃減算した２６℃が予測室内温度となる。
【０１２２】
また、空気調和機６ａがＯＦＦ時の予測室内温度については、室内温度予測部１２１８は、室内温度を予測する時間までの室外温度の変化を天気情報記憶部１２０４から取得し、ＯＦＦ時室温履歴情報記憶部１２１５の過去の室内温度と室外温度の変化の履歴に基づき、予測する時間の室内温度を予測する。室内温度予測部１２１８は、具体的には、ＯＦＦ時室温履歴情報記憶部１２１５のＯＦＦ時間とＯＦＦ時に検知した室内温度情報と室外温度情報と、ＯＮ時間とＯＮ時に検知した室内温度情報と室外温度情報とにより、室外温度に対する室内温度の変化の割合を算出する。さらに、室内温度予測部１２１８は、予測する時間までの室外温度の変化を天気情報記憶部１２０４から取得し、算出した室外温度に対する室内温度の変化の割合に基づき、現在の室内温度がどれくらい変化するかを算出し、予測する時間の予測室内温度を予測する。
【０１２３】
具体的には、例えば、ＯＦＦ時室温履歴情報記憶部１２１５が、図８に示すように、ＯＦＦ時間が８時、ＯＦＦ時の室内温度が２６℃、ＯＦＦ時の室外温度が２８℃、ＯＮ時間が１０時、ＯＮ時の室内温度が２８℃、ＯＮ時の室外温度が３０℃だった場合について説明する。室内温度予測部１２１８は、８時から１０時の２時間で、室外温度が２８℃から３０℃まで上昇する場合は、８時時点の室内温度は２時間後には２度上昇すると変化を算出する。すなわち、ＯＦＦから２時間後の室内温度を予測する場合は、同様の室外温度の変化であれば、ＯＦＦ時点の室内温度に２℃加算した温度を予測室内温度として予測する。
【０１２４】
また、室内温度予測部１２１８は、空気調和機６ａをＯＦＦした日付と時間における天気情報を天気情報記憶部１２０４から取得し、室外温度だけでなく他の天気情報（天気、風速、風向、湿度等）も加味して類似する過去の天気情報を取得し、その天気情報の日時の室内温度がどのように変化するかを予測し、予測室内温度を取得しても良い。
【０１２５】
空調動作情報決定部１２２０は、例えば、現在の日時以降のその日の１時間毎の余剰電力量を余剰電力量予測部１２１３に予測させる指示を行う。
【０１２６】
空調動作情報決定部１２２０から指示を受けた余剰電力量予測部１２１３は、具体的には、例えば、現在の日時以降のその日の１時間毎の発電電力量を、発電電力量予測部１２１０に予測させる指示を行い、１時間毎の予測発電電力量を取得する。さらに、余剰電力量予測部１２１３は、現在の日時以降のその日の１時間毎の消費電力量を、消費電力量予測部１２１１に予測させる指示を行い、１時間毎の予測消費電力量を取得する。そして、余剰電力量予測部１２１３は、取得した予測発電電力量と予測消費電力量との差分に基づき、現在の日時以降のその日の１時間毎の予測余剰電力量を予測する。
【０１２７】
空調動作情報決定部１２２０は、例えば、余剰電力量予測部１２１３から取得した現在の日時以降のその日の１時間毎の予測余剰電力量と、機種別消費電力量情報記憶部１２０９に記憶されている空気調和機６ａのスペック消費電力量とに基づき、空気調和機６ａが予測余剰電力量の範囲内で動作可能な動作期間を取得する。ここで、動作期間は、空気調和機６ａが動作開始する動作開始予定時間と、動作終了する動作終了予定時間とを含む。
【０１２８】
そして、空調動作情報決定部１２２０は、空気調和機６ａの動作開始予定時間の室内温度を、室内温度予測部１２１８に予測させ、開始時予測室内温度として取得する。さらに、空調動作情報決定部１２２０は、開始時予測室内温度で空気調和機６ａを動作開始させ、動作終了予定時間まで空気調和機６ａを動作させ続けた場合の動作終了予定時間の室内温度を室内温度予測部１２１８に予測させ、終了時予測室内温度として取得する。
【０１２９】
さらに、空調動作情報決定部１２２０は、ＯＮ時間予測部１２１７により、空気調和機６ａがユーザにより操作され、使用開始されると予測されたＯＮ予測時間を取得する。
【０１３０】
そして、空調動作情報決定部１２２０は、空気調和機６ａの動作終了予定時間に空気調和機６ａをＯＦＦし、ＯＮ予測時間まで空気調和機６ａをＯＦＦした状態を継続した場合のＯＮ予測時間の室内温度を室内温度予測部１２１８に予測させ、ＯＮ予測時間の予測室内温度を取得する。
【０１３１】
そして、空調動作情報決定部１２２０は、ＯＮ予測時間の予測室内温度が、所定範囲内の温度であるかどうかを判断し、所定範囲内であれば、予測余剰電力量の範囲内で動作させる動作開始予定時間と動作終了予定時間とを、空調動作情報として決定する。
【０１３２】
そして、空調動作情報決定部１２２０は、ＯＮ予測時間の室内温度が、所定温度の範囲内ではないと判断した場合は、予測余剰電力量での空気調和機６ａの運転は行わないことを決定する。
【０１３３】
ここで、空調動作情報決定部１２２０による判断については、上記した判断方法以外に、空気調和機６ａを動作させた場合と動作させなかった場合とのＯＮ予測時間の予測室内温度の温度差が所定値以上であるかどうかという判断方法であっても構わない。まず、この温度差を用いた判断方法で空調動作情報を決定する処理について、以下に詳細を説明する。
【０１３４】
空調動作情報決定部１２２０は、例えば、室内温度予測部１２１８により予測された、空気調和機６ａを動作させなかった場合のＯＮ予測時間の予測室内温度と、空気調和機６ａを動作させた場合のＯＮ予測時間の予測室内温度とを比較し、その温度差が所定値以上であれば、空気調和機６ａを動作させることを決定する。つまり、温度差が所定値以上であれば、空気調和機６ａを動作させることにより、ＯＦＦしたままでのＯＮ予測時間の温度より、所定値以上の温度差をつけることができるので、空気調和機６ａを予測余剰電力量で動作させることを決定する。これにより、余剰電力量で空気調和機６ａを動作させたときのＯＮ予測時間の温度が、空気調和機６ａを動作させないときのＯＮ予測時間の温度とあまり変わらない場合は、予測余剰電力量を使用せず、蓄電池システム３への蓄電や、売電することができるので、無駄な予測余剰電力量の使用を避け、他の利用のための使用をすることができる。
【０１３５】
図９は、第２の実施形態における空気調和機６ａの動作状況と室内温度の関係を示す一例の図である。空調動作情報決定部１２２０の処理に合わせて、以下に詳細を説明する。
【０１３６】
具体的に、例えば、空調動作情報決定部１２２０は、その日の予測余剰電力量を予測し、予測余剰電力量の範囲内での空気調和機６ａの動作可能な動作期間として、機種別消費電力量情報記憶部１２０９のスペック消費電力量や、消費可能電力量が、予測余剰電力量の範囲内に収まる時間を設定し、動作開始予定時間が１１時、動作終了予定時間が１５時を取得する。さらに、空調動作情報決定部１２２０は、室内温度予測部１２１８に、空気調和機６ａをその動作期間に動作させた時の室内温度を予測させ、動作開始予定時間の室内温度が３０℃、動作終了予定時間の室内温度が２５℃を取得する。この場合の室内温度の変化を表したものが、図９（２）のグラフであり、１１時の３０℃から１５時には２５℃まで下がっている。さらに、ＯＮ予測時間が１８時と予測されている場合、空気調和機６ａの動作終了予定時間の１５時から空気調和機６ａがＯＦＦした状態で、ＯＮ予測時間の１８時時点の室内温度を、室内温度予測部１２１８が２７℃と予測する。この場合の室内温度の変化を表したものが、図９（２）のグラフであり、１５時の２５℃から１８時には２７℃に上がっている。
【０１３７】
また、空気調和機６ａを全く動作させない状態でのＯＮ予測時間の１８時時点の室内温度を、室内温度予測部１２１８が３０℃と予測する。空調動作情報決定部１２２０は、空気調和機６ａを動作させた時と動作させなかったときの２種類の１８時時点の予測室内温度が２７℃と３０℃とを比較し、その差分の温度が、例えば所定値である２℃以上であるかどうか判断する。この場合、空調動作情報決定部１２２０は、２℃以上の差があるので、空気調和機６ａを１１時から１５時まで動作させることを決定する。
【０１３８】
また、空調動作情報決定部１２２０による判断方法が、ＯＮ予測時間の室内温度が、所定温度の範囲内であるかどうかという判断方法である場合について、以下に詳細を説明する。例えば、ＯＮ予測時間の設定温度が前回設定されている設定温度である場合は、空気調和機６ａを予測余剰電力量で運転したときのＯＮ予測時間の室内温度が、その設定温度から所定値以内の室内温度であれば、空気調和機６ａを動作させることを決定する。
【０１３９】
例えば、ＯＮ予測時間１８時の設定温度が２６℃で、所定値が２℃と設定されている場合は、空気調和機６ａを余剰電力で動作させた場合の１８時時点の予測室内温度が２７℃と予測されたとき、設定温度２６℃と１８時時点の予測室内温度が２７℃とを比較し、その差分の温度が所定値の２℃以内なので、空気調和機６ａを予測余剰電力量で運転させることを決定する。
【０１４０】
また、さらに、空調動作情報決定部１２２０は、空気調和機６ａの動作終了予定時間からＯＮ予測時間までのＯＦＦ状態での室内温度の変化に基づき、ＯＮ予測時間の設定温度や、空気調和機６ａの動作期間を変更しても構わない。
【０１４１】
例えば、空気調和機６ａの動作終了予定時間の１５時から、ＯＮ予測時間の１８時までの室内温度が室内温度予測部１２１８により２℃上がると予測され、ＯＮ予測時間の設定温度が２６℃と設定されている場合について説明する。この場合、空調動作情報決定部１２２０は、２℃上がることを想定し、動作終了予定時間の１５時時点の室内温度が２４℃となるように、空気調和機６ａの動作開始予定時間を早め、空気調和機６ａの運転情報のＯＮ予測時間の設定温度の２６℃より低い２４℃を設定温度として設定するなどの空調動作情報を決定する。具体的には、図９（３）に示すように、空調動作情報決定部１２２０は、空気調和機６ａの動作終了予定時間の室内温度を２４℃とするために、図９（２）の空気調和機の動作開始予定時間より早い時間の動作開始予定時間と、２４℃の設定温度とを設定している。
【０１４２】
また、空調動作情報決定部１２２０は、２℃上がることを想定し、ＯＮ予測時間の室内温度が設定温度から所定値以内の上限の室内温度となるように、空気調和機６ａの動作開始予定時間を遅らせて設定しても構わない。例えば、空調動作情報決定部１２２０は、図９（４）に示すように、図９（２）の動作開始予定時間より遅い時間に動作開始予定時間を設定する。具体的には、空調動作情報決定部１２２０は、ＯＮ予測時間の室内温度が、設定温度２６℃から所定値の２℃以内の上限の室内温度が２８℃となるように、動作終了予定時間の設定温度を２６℃とする。そして、空調動作情報決定部１２２０は、運転情報記憶部１２０５に記憶されている過去の運転情報と天気情報記憶部１２０４の天気情報に基づき、室内温度推移を予測し、動作終了予定時間の室内温度が２６℃となるような動作開始予定時間を設定する。これにより、予測余剰電力量の範囲内で空気調和機を動作させ、また、ユーザにより使用開始される予定時間に、ユーザが設定しておきたい室内温度に近い温度にすることができるので、ユーザの快適性を高めることができる。
【０１４３】
図９（１）では、空気調和機６ａを予測余剰電力量の範囲内で動作させたときの１５時時点の予測室内温度が２８℃で、その後、空気調和機６ａがＯＦＦ状態のままでＯＮ予測時間の１８時点の予測室内温度が３０℃となっている。この場合は、空調動作情報決定部１２２０は、空気調和機６ａを全く動作させない状態での１８時の室内温度が３０℃と、空気調和機６ａを動作させた場合の１８時時点の室内温度が３０℃との温度差が、所定値以上ではないので、空気調和機６ａは動作させないと決定する。これにより、予測余剰電力量で動作させても室内温度があまり変わらない場合は、予測余剰電力量を使用せず、蓄電池システム３への蓄電や、売電することができるので、無駄な予測余剰電力量の使用を避け、他の利用のための使用をすることができる。
【０１４４】
（処理フロー）
図１０は、第２の実施形態に係るサーバ装置１２が実行する処理の流れを示すフローチャートの概要の一例である。
【０１４５】
Ｓ２０１からＳ２０５までは、第１の実施形態の図５のフロー処理のＳ１０１からＳ１０５と同様であり、説明を省略する。
【０１４６】
空調動作情報決定部１２２０は、余剰電力量予測部１２１３により予測された予測余剰電力量と、機種別消費電力量情報記憶部１２０９に記憶された空気調和機６ａの機種名に対応するスペック消費電力量とに基づき、予測余剰電力量を超えない範囲で、空気調和機６ａがスペック消費電力量で動作可能な動作開始予定時間と動作終了予定時間を算出し、それらの時間を空調動作情報として決定する（Ｓ２０６）。
【０１４７】
ＯＮ時間予測部１２１７は、運転情報記憶部１２０５に記憶されている空気調和機６ａの運転情報に基づき、空気調和機６ａが運転開始される回数が多い時間を、空気調和機６ａのＯＮ予測時間として取得する（Ｓ２０７）。
【０１４８】
室内温度予測部１２１８は、ＯＦＦ時室温履歴情報記憶部１２１５に記憶されている室外温度に対する室内温度の変化の割合に基づき、天気情報記憶部１２０４から取得した動作開始予定時間までの室外温度の変化に対し、室内温度がどれくらい変化するかを算出し、動作開始予定時間の予測室内温度を予測する（Ｓ２０８）。
【０１４９】
室内温度予測部１２１８は、運転情報記憶部１２０５に記憶されている空気調和機６ａの過去の運転情報に含まれる室外温度に対する室内温度の変化の割合に基づき、天気情報記憶部１２０４から取得した動作開始予定時間から動作終了予定時間までの室外温度の変化に対し、動作開始予定時間の予測室内温度がどれくらい変化するかを算出し、動作終了予定時間の予測室内温度を予測する（Ｓ２０９）。
【０１５０】
室内温度予測部１２１８は、ＯＦＦ時室温履歴情報記憶部１２１５に記憶されている室外温度に対する室内温度の変化の割合に基づき、天気情報記憶部１２０４から取得した動作終了予定時間からＯＮ予測時間までの室外温度の変化に対し、動作終了予定時間の予測室内温度がどれくらい変化するかを算出し、ＯＮ予測時間の予測室内温度を予測する（Ｓ２１０）。
【０１５１】
空調動作情報決定部１２２０は、ＯＮ予測時間の予測室内温度が、所定範囲内の温度であるかどうかを判断する（Ｓ２１１）。
【０１５２】
空調動作情報決定部１２２０により、ＯＮ予測時間の予測室内温度が、所定範囲内の温度ではないと判断された場合は、空調動作情報の設定を行わないことを決定し、処理を終了する。つまり、予測余剰電力量で空気調和機６ａを動作させても、ＯＮ予測時間にユーザが期待する室内温度にならないので、処理を終了する。
【０１５３】
空調動作情報決定部１２２０により、ＯＮ予測時間の予測室内温度が、所定範囲内の温度であると判断された場合は、動作開始予定時間と動作終了予定時間を空調動作情報として決定する（Ｓ２１２）。
【０１５４】
空調動作情報出力部１２２１は、空調動作情報決定部１２２０により決定された空調動作情報を、サーバ装置通信部１２００を介して、管理装置１０に出力する（Ｓ２１３）。
【０１５５】
サーバ装置通信部１２００は、空気調和機６ａの動作内容を示す空調動作情報を、広域ネットワーク１１を介して管理装置１０へ送信する（Ｓ２１４）。サーバ装置通信部１２００は、空気調和機６ａの動作内容を示す空調動作情報を、広域ネットワーク１１を介して空気調和機６ａへ送信しても構わない。なお、上記フローは一例であって、本実施の形態は上記に限られない。
【０１５６】
（第３の実施形態）
以下、本発明の第３の実施形態について、図面を参照しつつ説明する。なお、下記において上記第１及び第２の実施形態と同様である点については説明を省略する。
【０１５７】
図１１は、第３の実施形態に係るサーバ装置１２の機能的構成の一例を示す図である。
【０１５８】
サーバ装置１２は、機能的に、図１１に示すように、第２の実施形態における図７と同様に、例えば、サーバ装置通信部１２００、サーバ装置記憶部１２０１、サーバ装置制御部１２３０を含む。
【０１５９】
本実施の形態においては、サーバ装置記憶部１２０１は、図１１に示すように、第２の実施形態における各機能部に加えて、電気料金関連情報記憶部１２０７を含む。
【０１６０】
情報取得部１２０８は、広域ネットワーク１１を介して外部の所定のサーバ（図示なし）から取得された発電システム２により発電された電力量の売電価格情報や、消費電力量に対する料金単価の電力量料金単価情報を、電気料金関連情報記憶部１２０７に記憶する。また、ユーザの電力会社との契約により売電価格や電力量料金単価は変わるので、ユーザの契約情報を管理装置１０またはサーバ装置１２で記憶しておき、その契約情報に基づいた、売電価格や電力量料金単価を記憶するようにしても良い。
【０１６１】
ここで、情報取得部１２０８は、電気料金を取得する電気量気取得部として機能する。
【０１６２】
サーバ装置制御部１２３０は、図１１に示すように、第２の実施形態における各機能部に加えて、空調消費電力量予測部１２１９を含む。
【０１６３】
空調消費電力量予測部１２１９は、運転情報記憶部１２０５に記憶されている過去の消費電力量に基づき、空気調和機６ａの将来の予測消費電力量を予測する。空調消費電力量予測部１２１９は、具体的には、空気調和機６ａを動作させる動作期間の動作開始予定時間と動作終了予定時間と、動作開始予定時間の予測室内温度と予測室外温度とを、空調動作情報決定部１２２０から取得する。そして、空調消費電力量予測部１２１９は、動作開始予定時間の予測室内温度と予測室外温度と一致する過去の室内温度と室外温度とを、運転情報記憶部１２０５から検索する。それから、空調消費電力量予測部１２１９は、一致する過去の室内温度と室外温度とを有する運転情報に対応する消費電力量を、運転情報記憶部１２０５から取得し、取得した消費電力量を予測消費電力量として予測する。ここで、空調消費電力量予測部１２１９は、予測室内温度と予測室外温度と一致する過去の室内温度と室外温度とを有する運転情報を複数検索した場合は、空気調和機６ａを動作させる動作期間に一番近い日時情報を有する運転情報の消費電力量を予測消費電力量として予測する。また、空調消費電力量予測部１２１９は、予測室内温度と予測室外温度と一致する過去の室内温度と室外温度とを見つけられない場合は、予測室内温度と予測室外温度から所定範囲内の温度である過去の室内温度と室外温度とを有する運転情報を運転情報記憶部１２０５から検索し、検索した運転情報の消費電力量を予測消費電力量として予測する。
【０１６４】
空調消費電力量予測部１２１９は、具体的には、例えば、図４Ｄに示すように、空気調和機６ａを動作させる動作期間が１８時から２１時までで、動作開始予定時間の予測室内温度が２８℃、予測室外温度が３０℃だった場合、開始時室内温度が２８℃、開始時室外温度が３０℃である２０１８／６／１９の１８時から２１時までの過去の運転情報を類似する運転情報として検索する。そして、空調消費電力量予測部１２１９は、２０１８／６／１９の１８時から２１時までの運転に対する消費電力量である１．２ｋＷｈを取得する。
【０１６５】
空調動作情報決定部１２２０は、空気調和機６ａをＯＦＦ状態から、設定された時間に空気調和機６ａの運転を開始した場合の目標温度に到達するまでの予測消費電力量を、空調消費電力量予測部１２１９から取得する。さらに、空調動作情報決定部１２２０は、予測余剰電力量の範囲内で空気調和機６ａを動作させた後、設定された時間に空気調和機６ａの運転を再開した場合の目標温度に到達するまでの予測消費電力量を、空調消費電力量予測部１２１９から取得する。空調動作情報決定部１２２０は、これら２種類の予測消費電力量を比較し、所定の条件を満たす場合に、予測余剰電力量の範囲内で空気調和機６ａを動作させることを決定する。
【０１６６】
図１２Ａ〜図１２Ｃは、第３の実施形態における空気調和機６ａの動作状況と電力量との関係を示す一例の図である。
【０１６７】
ここで、空調動作情報決定部１２２０による所定の条件を満たすかどうかの判断について、図１２Ａ〜図１２Ｃに示す画面を参照しながら説明する。
【０１６８】
空調動作情報決定部１２２０は、例えば、予測余剰電力量の範囲内で空気調和機６ａを動作後に、設定された時間（ＯＮ予測時間）に空気調和機６ａの運転を再開し、目標温度に到達するまでの予測消費電力量と、空気調和機６ａをＯＦＦ状態から設定された時間（ＯＮ予測時間）に空気調和機６ａの運転を開始した場合の目標温度に到達するまでの予測消費電力量とが、所定値以上差があると判断した場合は、予測余剰電力量の範囲内で空気調和機６ａを動作させることを決定する。
【０１６９】
具体的には、図１２Ａは、空気調和機６ａをＯＦＦ状態から設定された時間に空気調和機６ａの冷房運転を開始した場合の電力量と室内温度と時間の関係を示す図である。空気調和機６ａを余剰電力量で冷房運転させずに、１８時に冷房運転をスタートさせ、その後目標温度に到達し、さらに２１時まで動作させた場合の消費電力量を棒グラフで示し、室内温度の推移を破線で示している。余剰電力量で空気調和機６ａを動作させていないため、室内温度は徐々に上昇しているが、１８時の冷房運転開始以降は徐々に室内温度は下降し、２０時に目標温度（設定温度）に到達している。そして１８時から目標温度に到達した２０時までの棒グラフの面積が予測消費電力量となる。
【０１７０】
そして、図１２Ｂは、予測余剰電力量の範囲内で空気調和機６ａを冷房運転後に、設定された時間に空気調和機６ａの冷房運転を再開した場合の電力量と室内温度と時間の関係を示す図である。空気調和機６ａを余剰電力量で１２時から１５時あたりまで運転させ、１８時に動作を再開させ、その後、目標温度（設定温度）に到達し、さらに２１時まで冷房運転させた場合の消費電力量を棒グラフで示し、室内温度の推移を破線で示している。余剰電力量で空気調和機６ａを動作させている期間の室内温度は下降しているが、運転停止後の室内温度徐々に上昇し、１８時の冷房運転再開以降は徐々に室内温度は下降し１９時に目標温度に到達している。そして１８時から目標温度に到達した１９時までの棒グラフの面積が予測消費電力量となる。
【０１７１】
それから、空調動作情報決定部１２２０は、上記した図１２Ａと図１２Ｂの冷房運転開始時間の１８時から目標温度到達する時間までの予測余消費電力量が、所定値以上の差があるので、図１２Ｂに示すような予測余剰電力量での空気調和機６ａの動作を行うことを決定する。具体的には、予測余剰電力量で空気調和機６ａを冷房運転させた場合（図１２Ｂ）の１８時から目標温度到達する時間までの棒グラフの面積が示す予測余消費電力量が、予測余剰電力量で動作させない場合（図１２Ａ）の予測消費電力量に比べて少なくなっており、予測消費電力量が抑制されていることが分かる。
【０１７２】
また、図１２Ｃは、予測余剰電力量の範囲内で空気調和機６ａを冷房運転後に、設定された時間に空気調和機６ａの冷房運転を再開した場合の電力量と室内温度と時間の関係を示す図で、図１２Ｂに比べて予測余剰電力量が少ない場合の例である。空気調和機６ａを余剰電力量で１２時から１４時あたりまで冷房運転させ、１８時に冷房運転を再開させ、その後目標温度に到達し、さらに２１時まで冷房運転させた場合の消費電力量を棒グラフで示し、室内温度の推移を破線で示している。この例の場合は、余剰電力量で空気調和機６ａを動作させている期間の室内温度は下降しているが、余剰電力量が少ないため、空気調和機６ａを運転させる期間が図１２Ｂより短く、消費電力量が少ない運転モードで運転を行わせている。そして、運転停止後の室内温度は徐々に上昇し、１８時の冷房運転再開以降は徐々に室内温度は下降し２０時に目標温度（設定温度）に到達している。そして１８時から目標温度に到達した２０時までの棒グラフの面積が予測消費電力量となる。
【０１７３】
この場合、空調動作情報決定部１２２０は、上記した図１２Ａと図１２Ｃの運転開始時間の１８時から目標温度到達する時間までの予測消費電力量が、所定値以上の差がないので、図１２Ｃに示す予測余剰電力量での空気調和機６ａの冷房運転は行わせない。具体的には、予測余剰電力量で空気調和機６ａを動作させた場合（図１２Ｃ）の１８時から目標温度到達する時間までの棒グラフの面積が示す予測余消費電力量は、予測余剰電力量で動作させない場合（図１２Ａ）の予測消費電力量とほぼ変わらず、予測余剰電力量で空気調和機６ａを動作させても予測消費電力量は抑制されないことが分かる。
【０１７４】
また、空調動作情報決定部１２２０による所定の条件を満たすかどうかの他の判断方法について、以下に説明する。
【０１７５】
空調動作情報決定部１２２０は、例えば、電気料金関連情報記憶部１２０７に記憶されている電力量料金単価情報に基づき、予測余剰電力量の範囲内で空気調和機６ａを動作後に、設定された時間（ＯＮ予測時間）に空気調和機６ａの運転を再開し、目標温度に到達するまでの予測消費電力量に電力量料金単価情報を乗算して電気代を算出する。また、空調動作情報決定部１２２０は、同様に、空気調和機６ａをＯＦＦ状態から設定された時間（ＯＮ予測時間）に空気調和機６ａの運転を開始した場合の目標温度（設定温度）に到達するまでの予測消費電力量に電力量料金単価情報を乗算して電気代を算出する。さらに、空調動作情報決定部１２２０は、電気料金関連情報記憶部１２０７に記憶されている売電価格情報に基づき、余剰電力量に売電価格を乗算して売電価格を算出する。空調動作情報決定部１２２０は、これら２種類の電気代を比較し、その差分の電気代が、売電価格より大きい場合に、予測余剰電力量の範囲内で空気調和機６ａを動作させることを決定する。これにより、ユーザにとってより電気代が安価となるような空気調和機６ａの動作を決定することができる。
【０１７６】
（処理フロー）
図１３は、第３の実施形態に係るサーバ装置１２が実行する処理の流れを示すフローチャートの概要の一例である。
【０１７７】
Ｓ３０１からＳ３１０までは、第２の実施形態の図１０のフロー処理のＳ２０１からＳ２１０と同様であり、説明を省略する。
【０１７８】
空調消費電力量予測部１２１９は、予測余剰電力量で空気調和機６ａを動作させた場合において、ＯＮ予測時間の予測室内温度（Ｓ３１０）と、天気情報記憶部１２０４から取得したＯＮ予測時間の予測室外温度と一致する過去の室内温度と室外温度とを運転情報記憶部１２０５から検索する。さらに、空調消費電力量予測部１２１９は、一致する過去の室内温度と室外温度とを有する運転情報に対応する消費電力量を、運転情報記憶部１２０５から取得し、取得した消費電力量を予測消費電力量として予測する（Ｓ３１１）。
【０１７９】
室内温度予測部１２１８は、ＯＮ予測時間までの室外温度の変化を天気情報記憶部１２０４から取得し、ＯＦＦ時室温履歴情報記憶部１２１５の過去の室内温度と室外温度の変化の履歴に基づき、空気調和機６ａを全く動作させない状態におけるＯＮ予測時間の予測室内温度を予測する（Ｓ３１２）。
【０１８０】
空調消費電力量予測部１２１９は、予測余剰電力量で空気調和機６ａを動作させない場合において、空気調和機６ａを全く動作させない状態でのＯＮ予測時間の予測室内温度（Ｓ３１２）と、天気情報記憶部１２０４から取得したＯＮ予測時間の予測室外温度と一致する過去の室内温度と室外温度とを運転情報記憶部１２０５から検索する。さらに、空調消費電力量予測部１２１９は、一致する過去の室内温度と室外温度とを有する運転情報に対応する消費電力量を、運転情報記憶部１２０５から取得し、取得した消費電力量を予測消費電力量として予測する（Ｓ３１３）。
【０１８１】
空調動作情報決定部１２２０は、空気調和機６ａをＯＦＦ状態からＯＮ予測時間に空気調和機６ａの運転を開始した場合の目標温度に到達するまでの予測消費電力量（Ｓ３１３）が、予測余剰電力量の範囲内で空気調和機６ａを動作後に、ＯＮ予測時間に空気調和機６ａの運転を再開し、目標温度に到達するまでの予測消費電力量（Ｓ３１１）より、所定値より大きい差があるかどうか判断する。所定値より大きい差がある場合は、Ｓ３１５の処理を行い、差が所定値以下の場合、空調動作情報に何も設定せずに処理を終了する。すなわち、予測余剰電力量で空気調和機６ａを動作させても、ＯＮ予測時間以降の消費電力量に差がない場合は、空気調和機６ａを動作させない。これにより、予測余剰電力量を使用してもあまり効果がない場合は、予測余剰電力量を無駄に消費することを避けることができる。
【０１８２】
空調動作情報決定部１２２０は、空気調和機６ａを全く動作させなかった場合の目標温度に到達するまでの消費電力量が、予測余剰電力量で空気調和機６ａを動作させた場合の目標温度に到達するまでの消費電力量より所定値以上大きい場合は、予測余剰電力量で動作させる動作予定開始時間と動作終了予定時間とを空気調和機６ａの空調動作情報として設定する（Ｓ３１５）。これにより、予測余剰電力量を使用した方がより消費電力をより少なくできる場合は、予測余剰電力量を使用して空気調和機６ａを動作させるので、予測余剰電力量をより効率的に使用することができる。
【０１８３】
空調動作情報出力部１２２１は、空調動作情報決定部１２２０により決定された空調動作情報を、サーバ装置通信部１２００を介して、管理装置１０に出力する（Ｓ３１６）。
【０１８４】
サーバ装置通信部１２００は、空気調和機６ａの動作内容を示す空調動作情報を、広域ネットワーク１１を介して管理装置１０へ送信する（Ｓ３１７）。サーバ装置通信部１２００は、空気調和機６ａの動作内容を示す空調動作情報を、広域ネットワーク１１を介して空気調和機６ａへ送信しても構わない。
【０１８５】
本発明は、上記実施形態に限定されるものではなく、サーバ装置１２は、複数台の空気調和機を管理し、それぞれの空気調和機が設置されている部屋の室内温度の変化の特性と、空気調和機の機種による特性とを、運転情報記憶部１２０５の温度情報を含む運転情報や、ユーザ情報記憶部１２０６の機種名や設置場所（リビング、寝室、２階等）から予測することにより、設置されている部屋に応じた適切な空調動作情報を設定することができる。
【０１８６】
また、本発明は、これに限らず、種々の変形が可能である。例えば、上記実施形態で示した構成と実質的に同一の構成、同一の作用効果を奏する構成又は同一の目的を達成することができる構成で置き換えることができる。また、本実施形態は、互いに矛盾しない限り、上記第１、２および３の実施形態を組み合わせて用いてもよい。
【０１８７】
また、本明細書では、空気調和機６ａから出力される動作情報は、所定の間隔（例えば、３０分、１時間、１日など）で管理装置１０またはサーバ装置１２にプッシュ送信されても良いが、これに限定されない。例えば、管理装置１０またはサーバ装置１２が所定の間隔（例えば、３０分、１時間、１日など）で空気調和機６ａに対して問い合わせを行い、当該問い合わせへの応答として、空気調和機６ａが管理装置１０またはサーバ装置１２動作情報を出力する構成であってもよい。また、管理装置１０のユーザから動作情報等を取得する旨の操作を受け付けた場合に、空気調和機６ａに対して問い合わせを行う構成であってもよい。なお、特許請求の範囲における空気調和システムは、上記空気調和機で実現されてもよいし、サーバ装置で実現されてもよいし、空気調和機やサーバ装置を含むシステムとして構成されてもよい。
【０１８８】
また、本実施の形態では、蓄電池システム３を備えているが、蓄電池システムはなくてもよい。
【０１８９】
なお、本発明の空気調和システムの制御方法は、発電システムにより発電した電力量である発電電力量を取得し、所定範囲の空気調和機を含む電子機器の消費電力量を取得し、前記発電電力量と前記消費電力量とに基づいて、予測される余剰電力量である予測余剰電力量を予測し、前記予測余剰電力量を超えない範囲で、前記空気調和機を動作させる空調動作情報を決定する、ことを特徴とする。
【０１９０】
なお、本発明の空気調和システムは、コンピュータによって実現しても良く、本発明の空気調和システムの制御プログラムは、発電システムにより発電した電力量である発電電力量を取得する発電電力量取得部、所定範囲の空気調和機を含む電子機器の消費電力量を取得する消費電力量取得部、前記発電電力量と前記消費電力量とに基づいて、予測される余剰電力量である予測余剰電力量を予測する余剰電力量予測部、前記予測余剰電力量を超えない範囲で、前記空気調和機を動作させる空調動作情報を決定する空調動作情報決定部としてコンピュータを機能させることを特徴とする。
【０１９１】
ここで、空気調和システムの制御プログラムを含むプログラムは、サーバ装置記憶部１２０１に格納され、サーバ装置制御部１２３０は、サーバ装置記憶部１２０１に格納されたプログラムに従って、各種の情報処理を実行する。また、この制御プログラムは、広域ネットワーク１１を含むネットワークを介してダウンロードされて、サーバ装置記憶部１２０１に格納されても良い。
【符号の説明】
【０１９２】
１  空気調和システム、２  発電システム、３  蓄電池システム、６  空気調和機、９  ホームネットワーク、１０  管理装置、１１  広域ネットワーク、１２  サーバ装置、６００  空気調和機制御部、６０１  空気調和機通信部、６０２  設定情報取得部、６０３  室内温度情報取得部、６０４  室外温度情報取得部、６０５  運転情報出力部、６０６  ユーザ情報出力部、６０７  空調動作情報取得部、６０８  空調動作指示部、６０９  消費電力量情報取得部、１２００  サーバ装置通信部、１２０２  発電量履歴情報記憶部、１２０３  消費電力量履歴情報記憶部、１２０４  天気情報記憶部、１２０５  運転情報記憶部、１２０６  ユーザ情報記憶部、１２０７  電気料金関連情報記憶部、１２０９  機種別消費電力量情報記憶部、１２１０  発電電力量予測部、１２１１  消費電力量予測部、１２１３  余剰電力量予測部、１２１５  ＯＦＦ時室温履歴情報記憶部、１２１７  時間予測部（使用開始時間予測部）、１２１８  室内温度予測部、１２１９  空調消費電力量予測部、１２２０  空調動作情報決定部、１２２１  空調動作情報出力部、１２３０  サーバ装置制御部
【図１】
2020041782.tif 000003
【図２】
2020041782.tif 000004
【図３】
2020041782.tif 000005
【図４Ａ】
2020041782.tif 000006
【図４Ｂ】
2020041782.tif 000007
【図４Ｃ】
2020041782.tif 000008
【図４Ｄ】
2020041782.tif 000009
【図４Ｅ】
2020041782.tif 000010
【図４Ｆ】
2020041782.tif 000011
【図５】
2020041782.tif 000012
【図６Ａ】
2020041782.tif 000013
【図６Ｂ】
2020041782.tif 000014
【図６Ｃ】
2020041782.tif 000015
【図６Ｄ】
2020041782.tif 000016
【図６Ｅ】
2020041782.tif 000017
【図７】
2020041782.tif 000018
【図８】
2020041782.tif 000019
【図９】
2020041782.tif 000020
【図１０】
2020041782.tif 000021
【図１１】
2020041782.tif 000022
【図１２Ａ】
2020041782.tif 000023
【図１２Ｂ】
2020041782.tif 000024
【図１２Ｃ】
2020041782.tif 000025
【図１３】
2020041782.tif 000026